(57)【要約】不法行為抵抗性パッケージング・アプローチは、不揮発性メモリを保護する。本発明の一例の実施形態によれば、集積回路装置（１００）内に配置された磁気メモリ素子（１３０−１３２）は、磁石（１２０）を含むパッケージ（１０６）によって磁束（１２２）から保護される。磁石からの磁束は、パッケージによって磁気メモリ素子から離れる方向に向けられている。例えば、磁気メモリ素子にアクセスするための、パッケージの一部の除去など、不法行為がなされると、パッケージは、磁束が、いくつか又は全ての磁気メモリ素子に達することを可能にし、これは、その論理状態の変化を引き起こす。この方法によれば、磁気メモリ素子は、不法行為から保護される。
2006511936.tif 000002
【特許請求の範囲】
【請求項１】
局所磁場によって引き起こされるデータの破損を受けやすい集積回路装置において、
集積回路と、
電気制御信号に応答して論理状態を格納するようになされた複数の小型磁石を有するデータ記憶装置と、
前記集積回路を取り囲み、かつ、磁気デバイスの一部が除去されることに応答して、少なくとも一つの前記小型磁石の論理状態を変えるのに十分に強い局所磁場を発生させるようになされた前記磁気デバイスを含む集積回路パッケージと
を備える集積回路装置。
【請求項２】
前記集積回路パッケージ及び前記磁気デバイスは、前記複数の小型磁石から離れる方向に局所磁場を向けるようになされている請求項１記載の集積回路装置。
【請求項３】
前記磁気デバイスは、前記磁気デバイスの一部が除去されることに応答して、フリンジ磁界を示すようになされ、前記複数の小型磁石の少なくとも一つが前記フリンジ領域に暴露される請求項２記載の集積回路装置。
【請求項４】
前記磁気デバイスの局所磁場の一部は、少なくとも前記小型磁石の軸に対して整列されている請求項１記載の集積回路装置。
【請求項５】
前記集積回路パッケージは、前記集積回路の周囲に磁気シールド装置を含み、かつ前記磁気シールドは、前記磁気デバイスを含む請求項４記載の集積回路装置。
【請求項６】
前記集積回路は、向かい合っている上面及び底面を有し、そして前記磁気デバイスは、前記底面側付近に位置し、かつ前記小型磁石は、前記上面側に位置する請求項５記載の集積回路装置。
【請求項７】
前記磁気デバイスからのフリンジ磁界は、前記磁気デバイスの一部が除去されることに応答して、磁路から外にフリンジする請求項６記載の集積回路装置。
【請求項８】
前記複数の小型磁石の少なくとも一つは、前記磁気デバイスからの局所磁場に応答して、磁性状態を変化する請求項２記載の集積回路装置。
【請求項９】
前記複数の小型磁石の少なくとも一つは、前記磁気デバイスからの局所磁場に応答して、磁極性を変化する請求項２記載の集積回路装置。
【請求項１０】
少なくとも一つの前記小型磁石の磁性状態の変化に抵抗性を有しつつ応答するようになされた検出回路をさらに備える請求項１記載の集積回路装置。
【請求項１１】
前記検出回路は、少なくとも一つの前記小型磁石が第１の状態にあることに応答して第１の抵抗を示し、かつ少なくとも一つの前記小型磁石が第２の状態にあることに応答して第２の抵抗を示す請求項１０記載の集積回路装置。
【請求項１２】
前記検出回路は、伝導性を示すチャネル領域を有するトランジスタを含み、前記チャネル領域の伝導性は、前記小型磁石の状態に応答し、前記チャネルを通り抜ける電流路は、少なくとも一つの前記小型磁石が前記第１及び第２の状態にあることに応答して、それぞれ前記第１及び第２の抵抗を示す請求項１１記載の集積回路装置。
【請求項１３】
前記データ記憶装置は、前記複数の小型磁石のそれぞれの関数として、１ビットを格納するようになされ、前記ビットは、前記小型磁石の磁性状態に直接関連する値を有し、そして局所磁場に応答して、前記ビットは、局所磁場に応答する磁性状態の値を得る請求項１記載の集積回路装置。
【請求項１４】
前記磁気デバイスの少なくとも一部は、前記パッケージの外側にある請求項１記載の集積回路装置。
【請求項１５】
前記集積回路パッケージは、磁気シールドを含み、前記パッケージは、前記磁気デバイス及び前記データ記憶装置の両方の比較的すぐ近くにあると共に、これらを取り囲み、かつ前記磁気デバイスは、前記データ記憶装置の比較的遠位側にある請求項１記載の集積回路装置。
【請求項１６】
少なくとも一つの前記小型磁石を磁化することによって、前記複数の小型磁石の少なくとも一つに、論理状態を書き込むようになされた書込み回路をさらに備え、前記論理状態は、局所磁場に応答して変化されやすい請求項１記載の集積回路装置。
【請求項１７】
前記書込み回路は、前記小型磁石を第１の方向に磁化することによって、少なくとも一つの前記小型磁石に第１の論理状態を書き込み、かつ前記小型磁石を第２の方向に磁化することによって、少なくとも一つの前記小型磁石に第２の論理状態を書き込むようになされた請求項１６記載の集積回路装置。
【請求項１８】
前記磁気デバイスは、前記集積回路パッケージの一部が除去されることに応答して、少なくとも一つの前記小型磁石の磁性状態を設定する局所磁場を発生させるようになされている請求項１記載の集積回路装置。
【請求項１９】
前記磁気デバイスは、少なくとも一つの前記小型磁石の磁性状態を第１の磁性状態に設定する局所磁場を発生させるようになされている請求項１８記載の集積回路装置。
【請求項２０】
前記磁気デバイスは、少なくとも一つの前記小型磁石の磁性状態を、第２の磁性状態から第１の磁性状態に切り換える局所磁場を発生させるようになされている請求項１７記載の集積回路装置。
【請求項２１】
局所磁場によって引き起こされるデータの破損を受けやすいデータを格納するようになされた集積回路メモリ装置において、
小型磁石の磁性状態の関数として、論理状態を格納するようになされた複数の前記小型磁石と、
複数のワード線と、各前記小型磁石は、前記小型磁石の磁性状態を設定するための前記ワード線に加えられる信号に、磁気作用によって応答し、
複数の検出回路とを備え、各前記検出回路は、少なくとも一つの前記小型磁石の磁性状態の関数である電気的特性を示し、前記電気的特性は、少なくとも一つの前記小型磁石内に格納された論理状態を読み出すために検出可能であり、集積回路装置パッケージは、前記集積回路装置パッケージの一部の除去に応答して、局所磁場が少なくとも一つの前記小型磁石の論理状態を設定する、十分に強いフリンジ磁界によって、局所磁場を発生させるようになされた磁気デバイスを含む集積回路装置。
【請求項２２】
磁気応答性回路ノードを保護するようになされた不法行為防止装置において、
局所磁場を発生させるためであって、かつ前記磁気応答性回路素子から離れる方向に局所磁場を向けるための磁気手段を備え、
前記磁気手段は、前記磁気手段の一部が除去されることに応答して、前記磁気応答性回路ノードが磁性状態を得るフリンジ磁界をさらに発生させるようになされている不法行為防止装置。
【発明の詳細な説明】
【技術分野】
【０００１】
本発明は、デバイスのパッケージングと、さらに特に、例えば集積回路などのアイテム用の不法行為抵抗性パッケージングとを対象にする。
【背景技術】
【０００２】
パッケージングは、製品の保護及び安全の点で重要な役割を果たす。例えば、エレクトロニクス及びソフトウエアの適用では、パッケージングは、製品が破損を受けないようにされること、及び不法行為がなされないことを確実にするために重要である。不法行為防止は、特に、特定のパッケージング内部に格納される情報が特許権を有する適用において重要であった。例えば、メモリの適用では、回路に格納されたデータへのアクセスを防止することは、時には望ましい。
【０００３】
格納されたデータを保護するための種々のアプローチが使用されていた。例えば、ＳＲＡＭの適用では、電源が、データを格納するために使用される回路から取り外されると、メモリは失われる。電源は、不法行為が検出されると取り外され、これにより格納されたデータを消去する。これらのアプローチがバッテリ・バックアップを含む場合には、バッテリ電源も同様に、不法行為に応答して取り外される。
【０００４】
他のメモリの適用では、電源は、データを格納するために必ずしも必要とされない。例えば、磁気メモリの適用では、メモリは、メモリを維持するための電源を必要としない方法で格納され、従って不揮発性である。ある領域の近くに位置する材料の電気抵抗を変えるためその領域の磁性状態を利用する、ある種の磁気メモリセルは、まとめて磁気抵抗（ＭＲ）メモリセルとして知られている。磁気メモリセルの配列は、しばしば磁気ランダムアクセスメモリ（ＭＲＡＭ）と呼ばれる。ＭＲＡＭの適用では、メモリセルは、一般的にはワード線及びセンス線の交点上に形成され、各メモリセルは、一般的には導電又は絶縁層によって分離された磁気層を有する。かかるメモリの適用で使用される磁気抵抗金属は、磁場に置かれると、電気抵抗の変化を示す。この点について、ＭＲＡＭセルは、２つの安定した磁場配位を有し、これは高い抵抗と他の低い抵抗とを有する（例えば論理状態０を表す高い抵抗と、論理状態１を表す低い抵抗）。デバイスの磁性状態（すなわち磁荷）は、データとして操作及び読み出され、読み出しは、ＭＲＡＭセルが位置する集積回路を調査するための手段によって、達成されることができる。
【発明の開示】
【発明が解決しようとする課題】
【０００５】
しかしながら、メモリを維持するための電源を必ずしも必要としない、例えばＭＲＡＭなどの適用において、メモリを保護することは、電源関連の不法行為保護を含む典型的なアプローチが機能しないので、問題にされていた。特に、電源を取り外すことは、メモリの喪失を引き起こさない。これら及び他の問題は、ＭＲＡＭ及び他のタイプの適用のための不法行為保護及びパッケージングの実施に対する課題を提起する。
【課題を解決するための手段】
【０００６】
本発明の種々の態様は、例えばＭＲＡＭなどの不揮発性メモリ回路のための不法行為保護を含む。本発明は、多くの実施及び適用によって実証され、それらのいくつかは以下に要約される。
【０００７】
本発明の一例の実施形態によれば、磁気応答性回路素子は、磁場が磁気応答性回路素子に達することを選択的に抑制するようになされたパッケージング装置によって、不法行為から保護される。パッケージは、チップを取り囲むように磁束を作り出す、チップ周囲の磁気装置を含む。特に、パッケージは、損なわれていないとき、磁場が磁気応答性回路素子に達することを抑制する。パッケージに不法行為がなされると、例えば、パッケージに含まれたチップ内に格納されているデータを調査するため、パッケージの穴は、磁場抑制特性の低減又は削除を引き起こす。その結果、チップ周囲の磁気装置は、少なくともある領域において、その端部が磁気応答性回路素子に達してその状態を変える、十分に強い磁力を提供する。このアプローチによれば、磁気応答性回路装置の磁性状態は、パッケージの不法行為（例えば除去）によって必ずしも検出されることができない。
【０００８】
本発明の他の例の実施形態によれば、局所磁場によって引き起こされるデータの破損を受けやすい集積回路装置は、データ記憶装置及び集積回路パッケージを含む。パッケージは、チップを取り囲むように磁束を作り出す、チップ周囲の磁気装置を含む。データ記憶装置は、電気制御信号に応答して論理状態を格納する複数の小型磁石を含む。パッケージは、局所磁場を伝え、これは、小型磁石から離れた、パッケージ内に含まれる磁気デバイスによって発生される。パッケージに穴をあけることは、周囲の磁場を遮断し、これは、順に、小型磁石によって格納されているデータの改変を自ら与える。
【０００９】
本発明の他の関連する例の実施形態によれば、磁気応答性集積回路メモリ装置は、複数の小型磁石からなる。各小型磁石は、磁石の磁性状態の関数として論理状態を格納するようになされている。またメモリ装置は、複数のワード線を含み、各小型磁石は、小型磁石の磁性状態を設定するためのワード線に加えられる信号に、磁気によって応答する。小型磁石の磁性状態の関数として検出可能な電気的特性を示す検出回路は、小型磁石内に格納されている論理状態を決定するために読み出される。局所磁場を発生させる磁気デバイスを含む集積回路パッケージは、小型磁石から離れる方向に局所磁場を向けるようになされている。パッケージの一部の除去に応答して、パッケージ、小型磁石及び磁気デバイスは、局所磁場が小型磁石の少なくとも一つの磁性状態を設定及び／又は変更するように配置されている。
【００１０】
本発明の上述の要約は、本発明の各実施形態又は全ての実施を記載するように意図されていない。本発明の上述の要約は、本発明のそれぞれ図示された実施形態又は全ての実施を記載するように意図されていない。次に続く図及び詳細な説明は、さらに特にこれらの実施形態を実証する。
【００１１】
発明は、添付図面に関連して、発明の種々の実施形態の以下の詳細な説明を考慮して、さらに完全に理解されることができる。
【発明を実施するための最良の形態】
【００１２】
発明は、種々の修正及び代替形態に影響を受けやすいが、その明細は図面によって一例として示され、そして詳細に説明される。しかしながら、その意図は、説明された特定の実施形態に発明を制限することではないと理解されるべきである。これに対して、その意図は、添付の特許請求の範囲によって明確にされたように、発明の範囲内に含まれる全ての変更、同等物及び代替物をカバーすることである。
【００１３】
本発明は、不法行為保護を含む、及び／又は不法行為保護から利益を得る、種々の回路及びアプローチと、特に、例えばＭＲＡＭ回路など、メモリを維持するための電源に必ずしも依存しない、不揮発性及び他の集積回路とに適用することができると思われる。本発明は、かかる適用に必ずしも制限されないが、発明の種々の態様の理解は、かかる環境における例の考察によって、最もよく得られる。
【００１４】
本発明の一例の実施形態によれば、磁気応答性回路装置は、磁場が磁気応答性回路素子に達することを選択的に抑制するようになされたパッケージング装置によって、磁気応答性回路素子内に格納されているデータを不法行為から保護する。磁気応答性回路装置は、電気制御信号に応答して論理状態を格納する磁気応答性物を含む。特に、パッケージは、磁気応答性物から離れる方向に、パッケージ内の磁気デバイスによって発生された局所磁場を伝えることによって、損なわれないとき、磁場が磁気応答性回路素子に達することを抑制する。しかしながら、不法行為がなされると、パッケージは、磁場抑制特性を低減又は削除し、その結果、磁場が磁気応答性回路素子に達することを引き起こし、これにより、磁場に応答して、磁性状態を設定及び／又は変更する。このアプローチによれば、磁気応答性回路装置の磁性状態は、パッケージの不法行為（例えば除去）によって必ずしも検出されることができず、磁気応答性回路素子内における磁性状態の設定又は変更は、データの信頼性を破壊し、そしてアクセスの試みを失敗させるために使用されることができる。
【００１５】
図１は、本発明の他の例の実施形態に基づいて、磁場が基板内の回路素子に達することを抑制するようになされたパッケージ１０６によって覆われた基板１０４を有する集積回路デバイス１００を示す。基板１０４は、素子１３０、１３１及び１３２などの複数の磁気応答性回路素子を含み、これらはその磁性状態の関数としてデータを格納するようになされている。複数の磁気応答性回路素子のそれぞれは、ＭＲＡＭ型回路素子を含み、そして書き込みの目的ではＭＲＡＭ型回路素子の状態を制御するため、及び読み出しの目的では、ＭＲＡＭ型回路素子の磁性状態を検出するため、（図示されていない）他の回路に結合されている。パッケージ１０６は、例えば、その論理状態など、回路素子の特性を検出するための調査又は他のアクセス技術を用いて、基板１０４内の回路素子が直接アクセス可能でないように配置されている。
【００１６】
１つの実施では、磁気応答性回路素子の磁性状態は、高い抵抗によって特徴付けられる第１の状態と、低い抵抗によって特徴付けられる第２の状態とによって、２つの状態の１つであるように制御される。データが磁気応答性回路素子の１つに書き込まれるべきである場合には、磁場は、そこに加えられ、そしてその磁性状態を設定するために使用される。データが読み出されるべきである場合には、磁気応答性回路素子の抵抗は、例えば、論理“０”と関連付けられる高い抵抗と、論理“１”と関連付けられる低い抵抗とによって、検出されそして論理状態を識別するために使用される。
【００１７】
パッケージ１０６は、矢印１２２によって示される磁束を発する磁石素子１２０を含み、そして、他の（示されていない）領域内に十分な磁性材料を含むパッケージによって、磁束は、基板１０４を取り囲むように指示される。磁束１２２は、パッケージ１０６内の材料によって、基板１０４から離れる方向に向けられるように指示される。パッケージ１０６が損なわれないままでいる（例えば除去されず、変更されず、又は別の方法で不法行為がなされていない）間には、磁束１２２は、パッケージによって、１つ以上の複数の磁気応答性回路素子１３０、１３１又は１３２（又は、示されていないが、基板１０４内の他のもの）に達することを抑制される。パッケージ１０６は、いったん不法行為がなされると、磁束１２２は、その端部が、１つ以上の磁気応答性回路素子に達し、そしてその磁性状態の変化を引き起こすことができるほど十分に強い。
【００１８】
ところで、図２を参照して、図１に示されたデバイス１００の１つの特定の実施が示され、パッケージ１０６は、その一部を除去することを含む方法で不法行為がなされ、その結果、パッケージ１０６の一部に開口部２２６を生じさせている。この実施では、磁束１２２が磁気応答性回路素子１３１に達することを抑制するようになされたパッケージ１０６の一部が、除去された。この不法行為は、磁束１２２が回路素子１３１に達することを可能にし、これにより、磁気応答性回路素子１３１は、その磁束によってもたらされる特定の磁性状態を得る。この点について、磁気応答性回路素子１３１の磁性状態は、磁束１２２が回路素子１３１に達する前に、磁性状態が磁束によって変化された可能性のため、必ずしも確認されることができない。このアプローチでは、磁気応答性回路素子１３１内に格納されているデータは、パッケージ１０６に不法行為がなされることによる発見から保護される。
【００１９】
ところで、図３を参照して、本発明の他の特定の実行及び適用は、集積回路装置３００として表される。集積回路装置３００は、ＭＲＡＭをベースにしたチップダイ３０４、（比較的に強い磁場を提供する）パッケージ磁石３１０、及びチップダイ３０４を取り囲むパッケージ３２０を含む。パッケージ３２０は、通常予想される、外部に発生された磁場から、ＭＲＡＭの磁気応答性メモリセル（小型磁石又は素子）３３０−３３５を保護及び取り囲む、従来の磁気シールド３１２を含む。磁気シールド３１２は、パッケージ磁石３１０を含むか、又はこれと協力して作用する。パッケージ磁石３１０の磁場は、少なくともＭＲＡＭ回路素子３３０−３３５の軸と平行に整列される。パッケージは、ＭＲＡＭ回路素子３３０−３３５から離れる方向に、磁気デバイスからの局所磁場を伝えるようになされている。
【００２０】
集積回路装置３００は、例えば、ＭＲＡＭ回路素子３３０−３３５内のデータを調査するための、パッケージングの部分的な除去など、上方から不法行為がなされた場合には、そこに格納されているデータの信頼性が、失われることになる。この事象は、従来の磁気シールド３１２内への穴（及びその後の、外部に発生された磁場への暴露）のためであるか、又はＭＲＡＭ回路素子３３０−３３５に直接損害を与えることによるものであるだろう。
【００２１】
かかる不法行為が下方から発生した場合には、ＭＲＡＭ回路素子３３０−３３５によって格納されているデータの信頼性が、パッケージ磁石３１０からの磁束によるそこへの暴露のために、失われる。一般的には、かかる暴露は、底面側を探ることによって作り出されるエアギャップが原因であるだろう。
【００２２】
上述され、及び図示された種々の実施形態は、実例として提供されるにすぎず、発明を制限するために解釈されるべきではない。上述の考察及び実例に基づいて、当業者は、この中で図示及び説明された、典型的な実施形態及び適用に正確に従うことなく、種々の修正及び変更が本発明に対して行われることができることを容易に認めるだろう。かかる修正及び変更は、次の特許請求の範囲で説明される本発明の真の精神及び範囲から逸脱しない。
【図面の簡単な説明】
【００２３】
【図１】本発明の一例の実施形態に基づいて、不法行為を抑制するようになされた集積回路デバイスを示す。
【図２】本発明の他の例の実施形態に基づいて、不法行為に応答する図１の集積回路デバイスを示す。
【図３】本発明の他の例の実施形態に基づいて、周囲に磁気シールド及び下に磁石を含むパッケージ、集積回路基板を有する集積回路デバイスを示す。
【符号の説明】
【００２４】
１００  集積回路デバイス
１０４  基板
１０６  パッケージ
１２０  磁石素子
１３０、１３１、１３２  磁気応答性回路素子
２２６  開口部
３００  集積回路装置
３０４  チップダイ
３１０  パッケージ磁石
３１２  磁気シールド
３２０  パッケージ
３３０、３３１、３３２、３３３、３３４、３３５  ＭＲＡＭ回路素子
【図１】
2006511936.tif 000003
【図２】
2006511936.tif 000004
【図３】
2006511936.tif 000005
【国際調査報告】
2006511936.tif 000006
2006511936.tif 000007